(57)【要約】      （修正有）【課題】コンピュータ等の画面に表示したバーコードを、距離や照明の関係や遮蔽物により、ユーザが読み込むことができない場合であっても、このバーコードが示している情報にユーザがアクセスすることができるタブレットコンピュータを提供する。【解決手段】ユーザに提供する所定の情報を近距離無線通信信号として生成し、近距離無線通信機能を利用して、その近距離無線通信の通信圏内にあるユーザのタブレットコンピュータに発信するタブレットコンピュータである。また前記所定の情報を近距離無線通信信号として生成するとともに、２次元バーコードとしても生成しその２次元バードコードをそのディスプレイ部に表示するように構成したタブレットコンピュータである。さらに、この所定の情報を受信したユーザのタブレットコンピュータが情報を返信してきた場合にその返信情報を受信し、前記所定の情報と対応させて記憶するように構成した。【選択図】図３
0003173633.tif 000002
【実用新案登録請求の範囲】
【請求項１】
ユーザに提供する所定の情報を受信する情報受信部と、この情報受信部で受信した情報を近距離無線送信信号に変換する近距離無線信号変換部と、前記情報受信部で受信した信号を２次元バーコードに変換するバーコード変換部と、前記近距離無線信号変換部で変換した信号を発信する近距離無線信号発信部と、前記バーコード変換部で変換した２次元バーコードを表示するディスプレイ部とを備えたタブレットコンピュータ
【請求項２】
ユーザに提供する所定の情報を受信する情報受信部と、この情報受信部で受信した情報を近距離無線送信信号に変換する近距離無線信号変換部と、前記情報受信変換部で受信した信号を２次元バーコードに変換するバーコード変換部と、前記近距離無線信号部で変換した信号を発信する近距離無線信号発信部と、前記バーコード変換部で変換した２次元バーコードを表示するディスプレイ部と、前記近距離無線信号発信部が発信した信号に対する返信信号を受信し、この返信信号を前記近距離無線信号発信部が発信した信号と対応させて記憶する返信信号受信部とを備えたタブレットコンピュータ
【請求項３】
ユーザに提供する所定の情報を受信する情報受信部と、この情報受信部で受信した情報を近距離無線送信信号に変換する近距離無線信号変換部と、この近距離無線信号変換部で変換した信号を発信する近距離無線信号発信部とを備えたタブレットコンピュータ
【請求項４】
ユーザに提供する所定の情報を受信する情報受信部と、この情報受信部で受信した情報を近距離無線送信信号に変換する近距離無線信号変換部と、この近距離無線信号変換部で変換した信号を発信する近距離無線信号発信部と、この近距離無線信号発信部が発信した信号に対する返信信号を受信し、この返信信号を前記近距離無線信号発信部が発信した信号と対応させて記憶する返信信号受信部とを備えたタブレットコンピュータ
【請求項５】
前記近距離無線送信信号がブルーツース（Ｂｌｕｅｔｏｏｔｈ）技術規格に基づく信号であって暗号処理が施されていることを特徴とする請求項１乃至４項記載のタブレットコンピュータ
【請求項６】
前記情報受信部が受信する前記ユーザに提供する所定の情報に所定のインターネットＷｅｂサイトのＵＲＬを含んでおり、近距離無線信号変換部がこのＵＲＬにリンクする状態に信号を変換することを特徴とする請求項１乃至４項記載のタブレットコンピュータ
【請求項７】
前記ディスプレイ部が、前記２次元バーコード変換部で変換したバーコードを、そのバーコードを説明する画像上に表示することを特徴とする請求項１及び２項記載のタブレットコンピュータ
【請求項８】
ユーザに提供する所定の情報を受信する情報受信部と、この情報受信部で受信した情報を近距離無線送信信号に変換する近距離無線信号変換部と、前記情報受信変換部で受信した信号を２次元バーコードに変換するバーコード変換部と、前記近距離無線信号部で変換した信号を発信する近距離無線信号発信部と、前記バーコード変換部で変換した２次元バーコードを表示するディスプレイ部と、このディスプレイ部に表示された２次元バーコードを読み込むことによりアクセスされてきた信号を受信し、この返信信号を前記所定の情報と対応させて記憶するデータベース機能部とを備えたタブレットコンピュータ
【考案の詳細な説明】
【技術分野】
【０００１】  この考案は、ディスプレイとその表示制御を行うとともに近距離無線通信機能を有するコンピュータを備えるタブレットコンピュータに関する。
【背景技術】
【０００２】  近年タブレットコンピュータとしては、米国のＡｐｐｌｅ．Ｉｎｃが発売した「ｉＰｈｏｎｅ」や「ｉＰａｄ」、米国Ｇｏｏｇｌｅ．ＩｎｃのＡｎｄｒｏｉｄ  ＯＳを搭載した、いわゆる「Ａｎｄｒｏｉｄスマートフォン」「Ａｎｄｒｏｉｄタブレット」等が発売されている。これらのタブレットコンピュータは、図１に示すように、本体部１の内部にコンピュータ機能が搭載され、その本体部の一面に情報の表示および入力を行うためのディスプレイ部２が配置されている。
また本体部の内部には、コンピュータ機能が通信を行うためのＢｌｕｅｔｏｏｔｈ技術等に準拠した近距離無線通信機能が搭載されている。この近距離無線通信機能は、タブレットコンピュータと、それを操作するためのマウス機器やキーボード機器、ヘッドセット機器との通信を行うために多くの場合使用されている。【０００３】  また、特開２００４−５５２３公報では、コンピュータの画面上に複数個のバーコードを、画面を切り替えることにより順次表示するコンピュータのプログラムが開示されている。これにより表示されたバーコードをユーザがバーコードリーダで読み込み、そのバーコードが示す各種サービスをユーザが認識できるようにするものである。
このバーコードは、日本で使用されているＪＡＮコードの場合、国コード＋メーカーコードが７桁又は９桁と商品アイテムコード５桁又は３桁で構成されており、メーカや商品、サービスの分別を行うための情報となっている。
【先行技術文献】
【０００４】
【特許文献１】  特開２００４−５５２３公報
【０００５】
【非特許文献１】  Ａｐｐｌｅ  Ｉｎｃ．のｉＰａｄ、ｉＰａｄ２の製品説明サイト（ｈｔｔｐ：／／ｗｗｗ．ａｐｐｌｅ．ｃｏｍ／ｊｐ／ｉｐａｄ／）
【非特許文献２】  Ｇｏｏｌｇｅ  Ｉｎｃ．のＡｎｄｒｏｉｄ  ＯＳを搭載したタブレットで、たとえば株式会社東芝製のＲＥＧＺＡ  Ｔａｂｌｅｔ  ＡＴ３００／２４Ｃの製品説明サイト（ｈｔｔｐ：／／ｄｙｎａｂｏｏｋ．ｃｏｍ／ｐｃ／ｃａｔａｌｏｇ／ｒｅｇｚａ＿ｔ／１１０６２０ａｔ３００／ｉｎｄｅｘ＿ｊ．ｈｔｍ）
【考案の概要】
【考案が解決しようとする課題】
【０００６】  これら背景技術を組み合わせれば、コンピュータの画面上に、所定の商品やサービスを示す情報をバーコードで表示することはできるが、仮に距離や照明の関係や遮蔽物により、ユーザがバーコードを読み込むことができない場合には、ユーザはバーコードを利用した当該所定の情報にアクセスすることはできない。
また、バーコードではメーカ等が提供する商品を分別するための情報に加えて、その商品を販売する販売店やサービスを提供するサービス提供業者等が、自己の広告やサービス提供に関する情報等も提供することはできない。
さらに、バーコードではユーザに対して情報を一方的に提供するもので、その情報を取り込んだユーザに関する情報を取得することができない。【０００７】  この考案は、コンピュータ等の画面に表示したバーコードを、距離や照明の関係や遮蔽物により、ユーザが読み込むことができない場合であっても、このバーコードが示している情報にユーザがアクセスすることができるタブレットコンピュータを提供する。
また、販売店やサービス提供業者が広告やサービスに関する情報を容易に作成しユーザに提供することができるタブレットコンピュータを提供する。
さらに、自己が提供した情報を受信したユーザに関する情報を取得することができるタブレットコンピュータを提供する。
【課題を解決するための手段】
【０００８】  この考案は、ユーザに提供する所定の情報を近距離無線通信信号として生成し、近距離無線通信機能を利用して、その近距離無線通信の通信圏内にあるユーザのタブレットコンピュータに発信するように構成したタブレットコンピュータである。
また、前記所定の情報を近距離無線通信信号として生成するとともに、２次元バーコードとしても生成して、その２次元バードコードをそのディスプレイ部に表示するように構成したタブレットコンピュータである。
さらに、この所定の情報を受信したユーザのタブレットコンピュータが情報を返信してきた場合にその返信情報を受信し、所定の情報と対応させて記憶するように構成したタブレットコンピュータである。
【考案の効果】
【０００９】  この考案により、ユーザは、距離や照明の関係や遮蔽物によりバーコードを読み込むことが困難な環境にあっても、所定の情報を読み取ることができる。
また、ユーザはこれまでバーコード等で取得していた所定の情報をバーコードリーダで読み取る手間を要することなく、近距離無線通信で取得することができるようになる。
さらに、タブレットコンピュータの画面にバーコードを表示することで、ユーザが保有している機器に応じて、ユーザがバーコードと短距離無線通信のいずれかを選択的して情報にアクセスできるようになり、ユーザの利便性が高くなる。
そして、所定の情報を受信したユーザから情報が近距離無線通信を使用して返信されてきた場合にその情報を受信し記憶することで、自己が提供した所定の情報とそれに対するユーザの情報を管理することができる。
【図面の簡単な説明】
【００１０】
【図１】タブレットコンピュータの外観を示す図である。
【図２】この考案の実施例のタブレットコンピュータの内部構成を示すブロック図である。
【図３】この考案の実施例のタブレットコンピュータを説明するための概念図である。
【図４】この考案の実施例のタブレットコンピュータの動作を説明するためのフローチャートである。
【図５】この考案の実施例のタブレットコンピュータが配信する所定の情報を入力するための画面の例である。
【図６】この考案の実施例のタブレットコンピュータが２次元バーコードを表示した画面の例である。
【図７】この考案の実施例のタブレットコンピュータが発信した近距離無線通信信号に基づきクライアント表示されたポップアップ画面の例である。
【図８】この考案の実施例のタブレットコンピュータを利用したサーバとクライアントの関係を示したフローチャートである。
【図９】この考案の実施例のタブレットコンピュータのデータベース機能のデータフォーマットを示した概念テーブルである。
【図１０】この考案の実施例のタブレットコンピュータの来店情報表示画面の例である。
【考案を実施するための形態】
この考案の一実施の形態について、以下の通り、実施例を用いて説明する。
【実施例】
【００１１】  図１は、この実施例のタブレットコンピュータの構成を説明するための図で、本体部１はその内部にコンピュータ機能と、ブルーツース（Ｂｌｕｅｔｏｏｔｈ）技術を使用した近距離無線通信機能が搭載されており、またその一平面には情報の入力と表示を行うディスプレイ部２が配置されている【００１２】  図２は、この実施例のタブレットコンピュータの内部構成を説明するためのブロック図である。
本体部１は、ディスプレイ部２に対する情報の入力と表示を制御する入出力制御部１１と、予め提供されたコンピュータプログラムに基づきコンピュータ機能を実現する演算処理部１２と、演算処理部１２で処理する情報、ディプレイ部２の入力情報や表示情報、近距離無線通信部１５から送受信する情報、演算処理部１２や信号変換部１４の動作を指示制御するためのコンピュータプログラム等を記憶する記憶部１３と、ユーザに配信すべき所定の情報等を２次元バーコードや近距離無線通信信号に変換処理を行う信号変換部１４と、ブルーツース（Ｂｌｕｅｔｏｏｔｈ）通信機能を利用して、他のタブレットコンピュータと近距離無線通信を行う近距離無線通信部１５と、近距離無線通信を行うためのアンテナ部１６と、所定の情報と返信情報を対応させてデータ管理を行うためのデータベース機能部１７とで構成されている。【００１３】  図３は、この実施例のタブレットコンピュータ（以下、「サーバ」という。）と、このサーバから配信される所定の情報を受信するユーザのタブレットコンピュータ（以下、「クライアント」という。）との関係を説明するための概念図である。
この図において、サーバ１０は、そのディスプレイ部２に２次元バーコードを表示しており、この２次元バーコードをクライアント２０は写真撮影し、バーコードリーダ機能で２次元バーコードに示された情報を読み込む。一方クライアント３０は、サーバ１０が近距離無線通信機能を利用して送信した所定の情報を自己の近距離無線通信機能を活用して受信し、その信号の内容を解読するとともに、その受信に対応して自己の機器番号や受信時間等の情報を近距離無線通信信号として返信する。
このようにサーバ１０は、近くにいるユーザに対して、商品広告やクーポン券、セミナーやイベント等の案内、名刺等を所定の情報として発信する場合に、その所定の情報を入出力制御部１１から取得し、信号変換部１４で２次元バーコードと近距離無線通信信号に変換して、入出力制御部１１が２次元バーコードをディスプレイ部２で表示するとともに、近距離無線通信部１５により近距離無線通信信号をクライアントに送信している。【００１４】  図４は、この実施例のタブレットコンピュータを図３に示すサーバ１０として使用する場合の例を用いて説明するためのフローチャートである。
サーバ１０に対して、クライアント２０，３０に配信したい所定の情報が入力される。この場合、そのサーバ１０の記憶部１３に予め記憶された情報入力用のコンピュータプログラムに基づき演算処理部１２が、図５に示す入力画面を作成し、その入力画面を入出力制御部１１を通じてディスプレイ部２に表示する。
サーバ１０の保有者等は、この入力画面に従い、写真を添付し、名称、配信する内容、入力内容をリンクすべきインターネットＷｅｂサイトのリンク先ＵＲＬ、たとえばサーバ１０に設置されたユーザ管理用データベースサイトＵＲＬを、配信すべき所定の情報として入力する（ステップ１０１）。
この入力された所定の情報は、入出力制御部１１に制御され、記憶部１３に記憶される（ステップ１０２）。
一方、サーバの保有者等が、既にパソコン等を使用して配信すべき所定の情報を作成している場合や、広告配信会社やインベント会社等が予め配信すべき所定の情報を作成しサーバ１０に提供する場合には、その所定の情報をインターネットや近距離無線通信を利用して近距離無線通信部１５が受信し、記憶部１３に記憶する（ステップ１０３）。【００１５】  この記憶部１３に記憶された配信すべき所定の情報は、信号変換部１４で、２次元バーコードに変換される（ステップ１０４）。この変換された２次元バーコードは記憶部１３に所定の情報と対応させて記憶されるとともに、入出力制御部１１によってディスプレイ部２に表示し、クライアント２０がその２次元バーコードを写真撮影することで、そのバーコードに示された所定の情報を取得できる（ステップ１０５）。
このディスプレイ部２に表示する場合に、図６に示すように、記憶部１３に記憶された所定の情報の写真を、入力制御部１１が画面全面に表示し、その一部に２次元バーコードを表示するように制御することもできる。また写真に代えて、広告用等の動画を記憶部１３に保存しておき、その動画を表示しながらその一部に２次元バーコードを表示することもできる。【００１６】  また、記憶部１３に記憶されたユーザに配信すべき所定の情報は、信号変換部１４で、ブルーツース（Ｂｌｕｅｔｏｏｔｈ）技術を採用した通信規格（ＳＰＰ等）に準じた近距離無線通信信号に変換される（ステップ１０６）。この変換においては、クライアントに搭載された近距離無線通信部の通信規格と整合させるように、Ｂｌｕｅｔｏｏｔｈ以外にも、ＷＩＦＩダイレクト等の通信方式を利用してもよく、さらに通信において信号を圧縮したり暗号処理を行ってもよい。
この変換された近距離無線通信信号は、本体１内部のアンテナ１６を通じて、クライアント３０に対して発信される（ステップ１０７）。この近距離無線通信信号をクライアント３０が受信すると、図７に示すように、サーバ１０が配信する所定の情報がポップアップで表示されるとともに、その受信するとクライアント３０はそのタブレットコンピュータの音声発生機能や振動機能を使用して、ユーザに所定の情報の受信を告知する。【００１７】  次に、サーバ１０が配信した所定の情報を、クライアント２０が２次元バーコードで受信した後にサーバ１０のデータベースにアクセスする動作と、サーバ１０が配信した所定の情報をクライアント３０が近距離無線通信信号として受信し、その後サーバ１０とクライアント３０の信号交換を行う動作について、図８を用いて説明する。なおサーバ１０には、クライアント２０、３０からの返信情報を自己が発信した所定の情報と対応させてデータ管理を行うためのデータベース機能部１７が搭載されている。このデータベース機能部１７は図９のようなデータフォーマットが設定されており、サーバ１０が配信する所定の情報にはこのデータベース機能部１７にアクセスするためのＵＲＬが含まれている。【００１８】  クライアント２０は、サーバ１０のディスプレイ部２に表示された所定の情報を示す２次元バーコードをそのバーコードリーダで写真撮影すると、その２次元バーコードに含まれた所定の情報の配信内容等を画面上に表示する。クライアント２０のユーザが配信内容のうちでサーバ１０のユーザ管理用データベースサイトのＵＲＬにアクセスすると、サーバ１０は、そのクライアント２０のユーザ機器番号（ＵＩＤ）とユーザの識別番号（メールアドレス等）を取得するとともに、そのサーバへのアクセスが２次元バーコードを通じてアクセスしたことを示すフラグとそのアクセス時刻をデータベース機能１７に記憶する。【００１９】  またクライアント３０は、サーバ１０から近距離無線通信信号を受信すると、その返信として、クライアント３０のユーザ機器番号（ＵＩＤ）とユーザの識別番号（メールアドレス等）をサーバ１０に送信する。サーバ１０はそのユーザ機器番号とユーザの識別番号（メールアドレス等）をデータベースに格納するとともに、そのサーバへのアクセスが近距離無線通信を通じてアクセスしたことを示すフラグとそのアクセス時刻をデータベース機能１７に記憶する。【００２０】  さらにサーバ１０は、クライアント２０、３０が、その後もそのサーバ１０のデータベースにアクセスした時刻を来店時間として図１０のようにデータベース機能１７に記録する。
このように、タブレットコンピュータであるサーバ１０を構成することによって、サーバ１０がクライアントに配信すべき所定の情報を、２次元バーコードと近距離無線通信の両方で、またはクライアントの機器性能や環境状況に応じて配信することができる。
また、サーバ１０が、クライアントが所定の情報を２次元バーコード、近距離無線通信のいずれの通信手段で受信したかを把握することができるとともに、その所定の情報を受信した時刻やその後の通信記録を把握することができる。
【産業上の利用可能性】
【００２１】  この考案は、広告やクーポン、インベント開催案内やインベント情報、名刺に記載する情報等を配信するタブレットコンピュータに関する。
【符号の説明】
【００２２】１    タブレットコンピュータ本体部
２    ディスプレイ部
１０  サーバ
１１  入出力制御部
１２  演算処理部
１３  記憶部
１４  信号変換部
１５  近距離無線通信部
１６  アンテナ部
１７  データベース機能部
２０  クライアント
３０  クライアント
【図１】
0003173633.tif 000003
【図２】
0003173633.tif 000004
【図３】
0003173633.tif 000005
【図４】
0003173633.tif 000006
【図５】
0003173633.tif 000007
【図６】
0003173633.tif 000008
【図７】
0003173633.tif 000009
【図８】
0003173633.tif 000010
【図９】
0003173633.tif 000011
【図１０】
0003173633.tif 000012
【手続補正書】
【提出日】平成23年11月14日(2011.11.14)
【手続補正１】
【補正対象書類名】実用新案登録請求の範囲
【補正対象項目名】請求項５
【補正方法】変更
【補正の内容】
【請求項５】
前記近距離無線送信信号がブルーツース技術規格に基づく信号であって暗号処理が施されていることを特徴とする請求項１〜４のいずれか一項に記載のタブレットコンピュータ
【手続補正２】
【補正対象書類名】実用新案登録請求の範囲
【補正対象項目名】請求項６
【補正方法】変更
【補正の内容】
【請求項６】
前記情報受信部が受信する前記ユーザに提供する所定の情報に所定のインターネットＷｅｂサイトのＵＲＬを含んでおり、近距離無線信号変換部がこのＵＲＬにリンクする状態に信号を変換することを特徴とする請求項１〜４のいずれか一項に記載のタブレットコンピュータ
【手続補正３】
【補正対象書類名】実用新案登録請求の範囲
【補正対象項目名】請求項７
【補正方法】変更
【補正の内容】
【請求項７】
前記ディスプレイ部が、前記２次元バーコード変換部で変換したバーコードを、そのバーコードを説明する画像上に表示することを特徴とする請求項１または２記載のタブレットコンピュータ
【手続補正５】
【補正対象書類名】図面
【補正対象項目名】図９
【補正方法】変更
【補正の内容】
【図９】
0003173633.tif 000013